(57)【要約】【課題】ＬＡＮ及び公衆網に接続され、ＦＴＰ／ＳＭＴＰ送信可能であって、回線選択時の誤操作を防止することが可能なファクシミリ装置を提供する。【解決手段】ＬＡＮ回線を含む複数の回線に接続され、ＦＴＰ／ＳＭＴＰ送信可能なファクシミリ装置において、ＬＡＮ回線が指定され、宛先情報が入力された場合、その宛先情報に応じてＦＴＰ送信とＳＭＴＰ送信を切り換える。例えば、入力された宛先が特定のパターン（「＃」の後に４桁の数字で示されたアドレスが続くもの）を有する場合はＦＴＰ送信と判断し、それ以外はＳＭＴＰ送信と判断する。【選択図】図３
2006271008.tif 000002
【特許請求の範囲】
【請求項１】
ＬＡＮ回線を含む複数の回線に接続され、複数のプロトコルで送信可能なファクシミリ装置であって、
入力された宛先情報及び回線情報に応じ、複数のプロトコルを切り換えて送信する制御手段を備えたことを特徴とするファクシミリ装置。
【請求項２】
ＬＡＮ回線を含む複数の回線に接続され、ＦＴＰ／ＳＭＴＰ送信可能なファクシミリ装置であって、
前記複数の回線のいずれかを指定する回線指定手段と、
宛先情報を入力する宛先入力手段と、
ＬＡＮ回線が指定された場合、入力された宛先情報に応じてＦＴＰ送信とＳＭＴＰ送信を切り換える制御手段と、
を備えたことを特徴とするファクシミリ装置。
【請求項３】
前記ＬＡＮ回線が指定され、かつ全て数字からなる宛先が入力された場合は、アラート表示する表示手段を備えたことを特徴とする請求項２に記載のファクシミリ装置。
【請求項４】
前記ＦＴＰ送信及びＳＭＴＰ送信でエラーが発生した場合の再発呼回数を設定する再発呼設定手段を備え、
前記ＦＴＰ送信とＳＭＴＰ送信とで、送信エラーが発生した場合の再発呼回数を変更することを特徴とする請求項２に記載のファクシミリ装置。
【請求項５】
前記ＦＴＰ送信でエラーが発生した場合は、再発呼回数を制限しないことを特徴とする請求項４に記載のファクシミリ装置。
【請求項６】
前記ＦＴＰ送信の納期を指定する納期指定手段を備え、
ＦＴＰ送信で納期が指定された場合は、予め設定されたＦＴＰ送信用の再発呼回数に拘わらず、納期指定のための再発呼動作を優先させることを特徴とする請求項４に記載のファクシミリ装置。
【請求項７】
前記ＦＴＰ送信が正常終了した場合は、正常終了した旨を登録する登録手段を備えたことを特徴とする請求項２に記載のファクシミリ装置。
【発明の詳細な説明】
【技術分野】
【０００１】
本発明は、ＬＡＮ及び公衆網に接続され、ＦＴＰ／ＳＭＴＰ送信可能なファクシミリ装置に関する。
【背景技術】
【０００２】
例えば、特許文献１に記載された装置では、受信側がビジー状態の場合、現在選択されている回線を他の回線に切り換えて再発呼することにより、受信側に対して発呼していない待機時間を短縮している。
【０００３】
また、特許文献２に記載された装置では、入力されたダイヤル情報から回線選択用の情報を抽出し、予め設定した回線選択情報と比較して、一致した回線選択情報に対応する回線を選択し、前記ダイヤル情報を送出することにより、宛先情報（ダイヤル情報）に応じて複数の回線のいずれかを選択すると共に、回線選択情報（回線選択番号）の設定・変更を容易にしている。
【０００４】
また、特許文献３に記載された装置では、ワンタッチキー（あるいは短縮キー）に同一相手端末に対応する異なる回線の電話番号を登録する際、回線を選択して電話番号を入力し、電話番号登録メモリの一つのワンタッチキーに対応するメモリ領域にそれぞれ異なる回線の電話番号を登録することにより、一つのワンタッチキーに二つの回線の電話番号を登録可能とし、ワンタッチキーの実装個数を低減すると共に回線の有効利用を図っている。
【特許文献１】特開平１１−８８６３６号公報
【特許文献２】特開平１１−１１２５９６号公報
【特許文献３】特開平６−３８０１５号公報
【発明の開示】
【発明が解決しようとする課題】
【０００５】
しかしながら、特許文献１〜３に開示された技術では、ＬＡＮ回線を選択し、かつＳＭＴＰ（Simple  Mail  Transfer  Protocol：簡易メール転送プロトコル）、及びＦＴＰ（File  Transfer  Protocol：ファイル転送プロトコル）による送信が可能な場合についての配慮がなされていない。この場合、Ｇ３／Ｇ４回線にＬＡＮ回線が加わるが、ＳＭＴＰ送信、ＦＴＰ送信ともＬＡＮ回線を使用し、回線指定を共に「ＭＡＩＬ」とすると、前述の回線情報と宛先情報によってプロトコル（ＳＭＴＰ／ＦＴＰ）をも選択する必要がある。例えば、宛先が「１１１１」である場合は、Ｇ３プロトコル送信（ＩＧ３／Ｇ３）、Ｇ４プロトコル送信、ＳＭＴＰ送信、及びＦＴＰ送信の全てについて可能性があり、宛先のみでは誤発呼を防止することが困難である。
【０００６】
本発明の目的は、このような問題点を改善し、ＬＡＮ及び公衆網に接続され、ＦＴＰ／ＳＭＴＰ送信可能であって、回線選択時の誤操作を防止することが可能なファクシミリ装置を提供することにある。
【課題を解決するための手段】
【０００７】
請求項１に係る発明は、ＬＡＮ回線を含む複数の回線に接続され、複数のプロトコルで送信可能なファクシミリ装置であって、入力された宛先情報及び回線情報に応じ、複数のプロトコルを切り換えて送信する制御手段を備えたことを特徴とする。
【０００８】
宛先情報及び回線情報（指定回線）を利用することにより、適切なプロトコルを自動的に選択し、回線選択時の誤操作を防止できる。
【０００９】
請求項２に係る発明は、ＬＡＮ回線を含む複数の回線に接続され、ＦＴＰ／ＳＭＴＰ送信可能なファクシミリ装置であって、前記複数の回線のいずれかを指定する回線指定手段と、宛先情報を入力する宛先入力手段と、ＬＡＮ回線が指定された場合、入力された宛先情報に応じてＦＴＰ送信とＳＭＴＰ送信を切り換える制御手段と、を備えたことを特徴とする。
【００１０】
公衆網に接続されてＧ３／Ｇ４プロトコル送信を行う場合は、ポート毎に回線種別を指定していたが、これにＬＡＮ回線を加えてＳＭＴＰ送信（メール送信）とＦＴＰ送信（ネットワークスキャナによるファイル送信）を行う場合には、ＳＭＴＰ／ＦＴＰ共に同じＮＩＣＦ（ネットワーク制御部）からの送信となる。特に、ＬＡＮ回線でＦＴＰ／ＳＭＴＰ送信を行う場合、ＬＡＮ回線を指定し、かつ宛先情報からＳＭＴＰ送信であるか、ＦＴＰ送信であるかを判断することによって、ネットワークファクシミリ装置（インターネットファックス）のプログラム構造を利用し、かつ変更量を抑制しながら、ＦＴＰ送信を実現することができる。
【００１１】
請求項３に係る発明は、請求項２において、前記ＬＡＮ回線が指定され、かつ全て数字からなる宛先が入力された場合は、アラート表示する表示手段を備えたことを特徴とする。
【００１２】
回線選択の設定をユーザが入力する際、連続して宛先を入力すると誤操作するおそれがある。特殊な宛先が入力された場合に設定の間違いがないか、ユーザに確認することによって、回線選択による誤操作を低減することができる。
【００１３】
請求項４に係る発明は、請求項２において、前記ＦＴＰ送信及びＳＭＴＰ送信でエラーが発生した場合の再発呼回数を設定する再発呼設定手段を備え、前記ＦＴＰ送信とＳＭＴＰ送信とで、送信エラーが発生した場合の再発呼回数を変更することを特徴とする。
【００１４】
ＦＴＰ送信では、サーバが停止している場合もあるので、通常のＦＡＸ通信等における再発呼回数よりも長時間、再発呼動作をすることが望ましい。ＦＴＰ送信におけるエラー発生時の再発呼回数を、ＦＴＰ送信以外の再発呼回数とは異なる値に設定することにより、ＦＴＰ送信に適する再発呼動作を実現できる。
【００１５】
請求項５に係る発明は、請求項４において、前記ＦＴＰ送信でエラーが発生した場合は、再発呼回数を制限しないことを特徴とする。
【００１６】
請求項６に係る発明は、請求項４において、前記ＦＴＰ送信の納期を指定する納期指定手段を備え、ＦＴＰ送信で納期が指定された場合は、予め設定されたＦＴＰ送信用の再発呼回数に拘わらず、納期指定のための再発呼動作を優先させることを特徴とする。
【００１７】
ＦＴＰ送信時に別の発呼回数指示があった場合、ユーザが指定した再発呼指示に従うことにより、ユーザの意図した処理を確実に実行できる。
【００１８】
請求項７に係る発明は、請求項２において、前記ＦＴＰ送信が正常終了した場合は、正常終了した旨を登録する登録手段を備えたことを特徴とする。
【００１９】
ＬＡＮ回線を指定し、ＮＩＣＦからＳＭＴＰ送信（メール送信）した場合、ＳＭＴＰサーバに正常送信されても、このＳＭＴＰサーバから配信先の通信端末に届いたか否かはわからないため、通信レポート等に通信結果を記載しない（あるいは、「通信結果不定」を記載する）。これに対し、ＮＩＣＦからＦＴＰ送信した場合には、ＦＴＰサーバに正常送信されると、送信データが確実に保持されるため、通信レポート等に「通信結果ＯＫ」を記載する。
【発明の効果】
【００２０】
請求項１に係る発明によれば、ＬＡＮ回線を含む複数の回線に接続され、複数のプロトコルで送信可能なファクシミリ装置において、入力された宛先情報及び回線情報に応じ、複数のプロトコルを切り換えて送信するので、特に、ＬＡＮ回線でＦＴＰ／ＳＭＴＰ送信を行う場合、適切なプロトコルを自動的に選択することができる。
【００２１】
請求項２に係る発明によれば、ＬＡＮ回線を含む複数の回線に接続され、ＦＴＰ／ＳＭＴＰ送信可能なファクシミリ装置において、回線指定手段によってＬＡＮ回線が指定された場合、宛先入力手段によって入力された宛先情報に応じてＦＴＰ送信とＳＭＴＰ送信を切り換えるので、新たにオペレーションを加えたり、回線種別の管理エリアを用意する必要がなく、従来のプログラム資産を流用してＦＴＰ／ＳＭＴＰ送信機能を実現できる。
【００２２】
請求項３に係る発明によれば、ＬＡＮ回線が指定され、かつ全て数字からなる宛先が入力された場合はアラート表示するので、ユーザの誤操作を削減することができる。
【００２３】
請求項４に係る発明によれば、ＦＴＰ送信とＳＭＴＰ送信とで、送信エラーが発生した場合の再発呼回数を変更するので、ＦＴＰ送信の発呼回数をＳＭＴＰ送信の発呼回数とは別に設定することにより、サーバダウン時にエラーになる確率を低減することができる。
【００２４】
請求項５に係る発明によれば、ＦＴＰ送信でエラーが発生した場合は再発呼回数を制限しないので、サーバ側のダウン時間に関係なく、確実にＦＴＰ送信することが可能である。
【００２５】
請求項６に係る発明によれば、ＦＴＰ送信で納期が指定された場合は、予め設定されたＦＴＰ送信用の再発呼回数に拘わらず、納期指定のための再発呼動作を優先させるので、その納期指定に関し、ユーザからＦＴＰ送信用とは別の再発呼回数が指定された場合、ユーザの意図した処理を確実に実行できる。
【００２６】
請求項７に係る発明によれば、ＦＴＰ送信が正常終了した場合は、正常終了した旨を登録するので、その登録内容を出力表示することにより、ユーザに対して通信結果をわかり易く伝えることができる。
【００２７】
以上説明したように、本発明によれば、ＬＡＮ及び公衆網に接続され、ＦＴＰ／ＳＭＴＰ送信可能であって、回線選択時の誤操作を防止することが可能なファクシミリ装置を提供することができる。
【発明を実施するための最良の形態】
【００２８】
以下、図面を用い、本発明の実施の一形態を説明する。
【００２９】
「第１の実施形態」
図１に、本発明の第１の実施形態に係るネットワークファクシミリ装置の構成を示す。
【００３０】
このネットワークファクシミリ装置には、ＬＡＮに接続して画情報を電子メールとして送受するための伝送機能と、公衆網（ＰＳＴＮ、ＩＳＤＮ）に接続してＧ３／Ｇ４ファクシミリ伝送手順により画情報を送受する伝送機能と、を備える。ＬＡＮに接続された通信端末との間のデータの送受には、ＴＣＰ／ＩＰと呼ばれるトランスポートレイヤまでの伝送プロトコルと、その上位レイヤの通信プロトコルとの組み合わせ（いわゆるプロトコルスイート）が適用される。例えば、電子メールデータの送信（メール送信）には、上位レイヤの通信プロトコルとして前述のＳＭＴＰが適用され、画像データを含むファイルの送信（ネットワークスキャナ機能）には、前述のＦＴＰが適用される。
【００３１】
図１において、原稿センサ１は、原稿載置台に原稿が載置されたことを検知すると共に、原稿ＪＡＭの有無を検知する。用紙センサ２は、プロッタ５に給紙するための用紙が収納されている給紙カセット位置を検知すると共に、用紙ＪＡＭの有無を検知する。バッテリ３は、相手先の電話番号、名称、等を記憶するためのＲＡＭ１４をバックアップする。
【００３２】
スキャナ４は、所定の解像度で原稿の画像面を読みとって画情報を取り出す。プロッタ５は、所定の解像度で画像データを記録・出力する。
【００３３】
操作表示部６は、テンキー、ワンタッチキー（あるいは、短縮キー）、後述の回線選択キー、内線キー、メールキー、その他のファンクションキーを含む各種操作キー、ＬＣＤ等の表示器からなり、装置の状態や、操作ガイダンスを表示すると共に、装置の操作や各種モード設定を行うために用いられる。
【００３４】
画像メモリ７は、符号化圧縮された状態の画情報（画像データ）を蓄積するために用いられる。パラメータメモリ８は、ネットワークファクシミリ装置に固有の各種情報（電話番号等のパラメータ）を蓄積する。時計回路９は、現在時刻情報を出力する。
【００３５】
通信制御部１０は、網制御部１７とモデム１６を制御して所定の伝送制御手順により、ファクシミリ通信を行う。符号化復号化部１１は、画像信号を符号化圧縮すると共に、符号化圧縮されている画情報を元の画像信号に復号化する。
【００３６】
ＣＰＵ１２は、各部を制御してネットワークファクシミリ装置の所定の動作を実行する。ＲＯＭ１３は、ネットワークファクシミリ装置の動作に必要な制御プログラムが格納されている。ＲＡＭ１４は、ＣＰＵ１２が制御プログラムを実行する際に必要な各種データを記憶すると共に、ワークエリアとして使用される。キャラクタジェネレータ１５は、英、数、カナ、記号、漢字、等の各文字フォントデータを記憶している。
【００３７】
また、ＲＡＭ１４には、ファクシミリ伝送手順によって受信するサブアドレス情報と、そのサブアドレス情報に対応したネットワークアドレスとを関連付けて記憶したアドレス変換テーブルが更新可能に記憶されている。また、ＲＡＭ１４には、回線選択キー、内線キー、メールキーによって選択・指定された回線情報、及び、テンキー、ワンタッチキー等によって入力された宛先情報の内容が更新可能に記憶されている。また、ＲＡＭ１４には、後述の空き回線指定機能についての設定内容が更新可能に記憶されている。
【００３８】
モデム１６は、伝送手順信号を送受するための低速モデム機能（Ｖ．２１モデム）、及び主に画情報を送受するための高速モデム機能（Ｖ．１７モデム、Ｖ．３４モデム、Ｖ．２９モデム、Ｖ．２７モデム、等）を備え、画情報を変復調して伝送すると共に、伝送制御手順における各種手順信号を伝送する。
【００３９】
網制御部１７は、回線（ＰＳＴＮ／ＩＳＤＮ）の捕捉、発信先電話番号である選択信号の送出、着信の検出等により、所定の発呼動作および着信動作を行うものであり、自動発着信機能を有する。ネットワーク制御部１８は、ＬＡＮ回線からの送受信を制御するものであって、ネットワークファクシミリ装置をＬＡＮに接続し、他の通信端末との間で種々のデータを送受するために所定のプロトコルスイートの通信制御を行う。
【００４０】
前述のスキャナ４、プロッタ５、操作表示部６、画像メモリ７、パラメータメモリ８、時計回路９、通信制御部１０、符号化復号化部１１、ＣＰＵ１２、ＲＯＭ１３、ＲＡＭ１４、キャラクタジェネレータ１５、ネットワーク制御部１８は、システムバス１９に接続され、各部の間のデータ送受は主としてシステムバス１９を介して行われる。また、網制御部１７とモデム１６の間のデータ送受は直接行われる。
【００４１】
さて、本実施形態のネットワークファクシミリ装置は、図２に示すように、ＰＳＴＮ回線（本体／オプション）、ＩＳＤＮ回線（オプション）、ＬＡＮ回線の一部又は全てに接続可能に構成され、これらの回線を介し、Ｇ３プロトコル／Ｇ４プロトコル／ＳＭＴＰ／ＦＴＰで送信可能に構成されている。また、これらの回線を内線として使用可能に構成されている。また、操作表示部６には、網制御部１７、ネットワーク制御部１８に接続される回線（Ｇ３／Ｇ４）を選択・指定するための「回線選択キー」、内線を選択・指定するための「内線キー」、メール宛先設定時にＭＡＩＬ回線（ＬＡＮ回線）を選択・指定するための「メールキー」、を備える。この内線キー、メールキーは、例えば、予め操作表示部６に設けられたユーザファンクションキーを利用して設定することができる。さらに、操作表示部６の操作により、所定の優先順位に従って自動的に空き回線を検出し、その回線を使用して送信を開始する空き回線指定機能を設定するように構成されている。前記空き回線を使用する際の優先度は、予め設けられた複数種類の優先度から、操作表示部６で任意に選択・設定できるものとする。
【００４２】
例えば、前記回線選択キーによって、「Ｇ３−１」が選択された場合は本体ＰＳＴＮ回線が指定され、「Ｇ３−２」が選択された場合はオプションＰＳＴＮ回線が指定され、「ＩＧ３」が選択された場合はオプションＩＳＤＮ回線が指定され、「Ｇ４」が選択された場合はオプションＩＳＤＮ回線が指定されるように、回線選択と実際の使用回線を対応させる。また、前記内線キーによって、「内線」が選択された場合は２回線ＮＣＵ装着時の内線回線が指定され、「Ｇ３−１（内線）」が選択された場合は内線用の本体ＰＳＴＮ回線が指定され、「Ｇ３−２（内線）」が選択された場合は内線用のオプションＰＳＴＮ回線が指定され、「ＩＧ３（内線）」が選択された場合は内線用のオプションＩＳＤＮ回線が指定されるように、回線選択と実際の使用回線を対応させる。また、前記メールキーによって、「ＭＡＩＬ」が選択された場合はＮＩＣＦ、ＩＤＵ、ＰＤＵのいずれかのボードから発呼される。
【００４３】
また、操作表示部６で空き回線指定機能が設定された場合は、前記回線選択キー、内線キー、メールキーによる指定内容と、予め設定された回線使用の優先度とに応じ、送信動作を行うように制御する。例えば、前記「Ｇ３−１」、「Ｇ３−２」、「ＩＧ３」のいずれかが指定されると共に、空き回線指定機能が設定された場合は、第１の優先度設定「オプションＩＳＤＮ＞オプションＰＳＴＮ＞本体ＰＳＴＮ」、又は第２の優先度設定「オプションＰＳＴＮ＞本体ＰＳＴＮ＞オプションＩＳＤＮ」に従って送信を開始する。また、前記「内線」が指定されると共に、空き回線指定機能が設定された場合は、第１の優先度設定「ＰＢＸ＞オプションＩＳＤＮ＞オプションＰＳＴＮ＞本体ＰＳＴＮ」、又は第２の優先度設定「ＰＢＸ＞オプションＰＳＴＮ＞本体ＰＳＴＮ＞オプションＩＳＤＮ」に従って送信を開始する。前述の第１、第２の優先度のいずれを用いるかは、予め操作表示部６から選択・設定可能とする。
【００４４】
ここで、Ｇ４回線（オプションＩＳＤＮ回線）が指定された場合はＧ４プロトコルで送信され、それ以外のＧ３回線（本体ＰＳＴＮ回線等）、内線が指定された場合には、Ｇ３プロトコルで送信される。また、ＭＡＩＬ回線（ＮＩＣＦ）が指定された場合は、宛先ファイルの内容に応じ、ＳＭＴＰ又はＦＴＰで送信される。具体的には、ＭＡＩＬ回線指定時に操作表示部６から入力された宛先が、「＃＋アドレス（０〜９の数字で１〜４桁まで）＋Ｓ＋サブアドレス（０〜９、＃、＊、スペースで２０桁まで）」で構成される場合は、ＦＴＰアドレスと判断する。なお、「ＤＳ機能なし」が設定されている場合には、前述の判断条件を満たしていてもＳＭＴＰで送信する。ＤＳ機能の有無は、予め内部スイッチ（ビットスイッチ等）で選択・設定されている。
【００４５】
次に、図３を参照しながら本実施形態の送信動作を説明する。
【００４６】
操作表示部６で前記回線選択キー、内線キー、メールキー、ワンタッチキー、等により送信動作が指定されると、入力された宛先を読み出す（ステップｓ１０１）。
【００４７】
ここで、ＭＡＩＬ回線が指定され、かつ、宛先が特定のパターン（例えば、「＃」の後に４桁の数字で示されたアドレスが続くもの）を有する場合は、ＦＴＰ送信と判断してＬＡＮ上のＦＴＰサーバ（図示せず）へ蓄積原稿を送信する（ステップｓ１０２のＹＥＳ、ｓ１０３）。ＦＴＰ送信の場合は、前記ＦＴＰサーバのディレクトリに送信されるので、宛先に含まれた「＃」の後の数字により前記ＦＴＰサーバ側で蓄積原稿（画像ファイル）を管理することができる。あるいは、別フォルダとして管理し、他の宛先へ転送することができる。
【００４８】
一方、ＭＡＩＬ回線が指定され、かつ、宛先が前記特定のパターンと異なる場合には、メールの宛先であると判断してＬＡＮ上のＳＭＴＰサーバ（図示せず）へＳＭＴＰで送信する（ステップｓ１０２のＮＯ、ｓ１０４）。ＳＭＴＰ送信の場合は、Ｅ−ＭＡＩＬとして相手先通信端末に届くことになる。
【００４９】
「第２の実施形態」
図４に、本発明の第２の実施形態でＭＡＩＬ回線が指定された場合の送信動作を示す。なお、装置の全体構成は第１の実施形態と概ね同様であるため、図１を用いると共に同一構成には同一符号を付与して説明を省略する。
【００５０】
操作表示部６で前記回線選択キー、内線キー、メールキー、ワンタッチキー、等により送信動作が指定されると、キー操作で入力された宛先をＲＡＭ１４に登録する（ステップｓ２０１）。
【００５１】
ここで、ＭＡＩＬ回線を指定され、かつ、入力された宛先が全て数字の場合はアラート表示を行い、回線指定又は宛先入力が間違っていないか否か、ユーザに確認する（ステップｓ２０２のＹＥＳ、ｓ２０３）。さらに、修正がある場合（ステップｓ２０４のＹＥＳ）はステップｓ２０１に戻り、修正がない場合（ステップｓ２０４のＮＯ）には前述のようにＳＭＴＰ又はＦＴＰで送信する。
【００５２】
なお、ステップｓ２０２の判断は、回線指定及び宛先入力が完了し、操作表示部６のスタートキーが押下された時点ではなく、回線指定後の宛先入力中に行ってもよい。
【００５３】
また、本実施形態に限らず、Ｇ３回線又はＧ４回線が指定され、かつ、入力された宛先が全て数字の場合についても、アラート表示するようにしてもよい。これは、Ｇ３回線又はＧ４回線が指定され、かつ、宛先として「＃」＋「数字４桁」が入力された場合、ＦＴＰ送信の間違いであることも考えられるためである。
【００５４】
「第３の実施形態」
図５に、本発明の第３の実施形態でＭＡＩＬ回線が指定された場合の送信動作を示す。なお、装置の全体構成は第１の実施形態と概ね同様であるため、図１を用いると共に同一構成には同一符号を付与して説明を省略する。
【００５５】
本実施形態では、送信エラーが発生した場合の再発呼回数を設定する際、ＦＴＰ送信用の再発呼回数と、ＦＴＰ送信以外の通常再発呼回数と、を異なる値で設定する。これらの再発呼回数は、予めプログラム上で決められた値であってもよいし、あるいは、操作表示部６のファンクションキーの操作で任意に設定し、ＲＡＭ１４上に書き換え可能に記憶するように構成してもよい。
【００５６】
図５に示すように、送信終了時にその通信がエラーの場合（ステップｓ３０１、ｓ３０２のＹＥＳ）、再発呼動作を行う。この再発呼時、先に指定された回線がＭＡＩＬ回線であって、入力された宛先が「＃」＋「数字４桁」の場合は、ＦＴＰ送信と判断してＦＴＰ送信用の再発呼回数を使用する（ステップｓ３０３のＹＥＳ、ｓ３０４）。また、先に指定された回線がＭＡＩＬ回線であって、入力された宛先が「＃」＋「数字４桁」でない場合は、通常の再発呼回数を使用する（ステップｓ３０３のＮＯ、ｓ３０６）。
【００５７】
さらに、こうして読み出された再発呼回数と実際に発呼した回数（宛先毎に管理されている。）を比べ、再発呼可能な場合（ステップｓ３０５のＹＥＳ）は再び発呼動作に移行し、再発呼した回数が前記読み出された再発呼回数に達した場合（ステップｓ３０５のＮＯ）は処理を終了する。
【００５８】
「第４の実施形態」
図６に、本発明の第４の実施形態でＭＡＩＬ回線が指定された場合の送信動作を示す。なお、装置の全体構成は第１の実施形態と概ね同様であるため、図１を用いると共に同一構成には同一符号を付与して説明を省略する。
【００５９】
本実施形態では、送信エラーが発生した場合の再発呼回数を設定する際、ＦＴＰ送信以外の通常再発呼回数のみを設定し、ＦＴＰ送信については無制限に再発呼可能とする。前記再発呼回数は、予めプログラム上で決められた値であってもよいし、あるいは、操作表示部６のファンクションキーの操作で任意に設定し、ＲＡＭ１４上に書き換え可能に記憶するように構成してもよい。
【００６０】
図６に示すように、送信終了時にその通信がエラーの場合（ステップｓ４０１、ｓ４０２のＹＥＳ）、再発呼動作を行う。この再発呼時、先に指定された回線がＭＡＩＬ回線であって、入力された宛先が「＃」＋「数字４桁」の場合（ステップｓ４０３のＹＥＳ）は、ＦＴＰ送信と判断して再発呼動作を繰り返す。また、先に指定された回線がＭＡＩＬ回線であって、先に入力された宛先が「＃」＋「数字４桁」でない場合は、通常の再発呼回数を使用する（ステップｓ４０３のＮＯ、ｓ４０４）。
【００６１】
さらに、こうして読み出された再発呼回数と実際に発呼した回数（宛先毎に管理されている。）を比べ、再発呼可能な場合（ステップｓ４０５のＹＥＳ）は再び発呼動作に移行し、再発呼した回数が前記読み出された再発呼回数に達した場合（ステップｓ４０５のＮＯ）は処理を終了する。
【００６２】
「第５の実施形態」
図７に、本発明の第５の実施形態でＭＡＩＬ回線が指定された場合の送信動作を示す。なお、装置の全体構成は第１の実施形態と概ね同様であるため、図１を用いると共に同一構成には同一符号を付与して説明を省略する。
【００６３】
本実施形態では、前述のように送信エラーが発生した場合の再発呼回数を２種類（ＦＴＰ送信用／ＦＴＰ送信以外の通常送信用）、設定する。また、ＭＡＩＬ回線が指定された場合の納期を予め指定し、その指定納期に送信する納期指定モードを操作表示部６で設定可能とする。例えば、納期指定モードで送信動作に先立ち、ユーザが操作表示部６から納期指定時刻（何時何分）を設定・入力し、入力された納期情報をＲＡＭ１４の所定エリアに更新可能に記憶する。
【００６４】
図７に示すように、送信終了時にその通信がエラーの場合（ステップｓ５０１、ｓ５０２のＹＥＳ）、再発呼動作を行う。この再発呼時、予めＲＡＭ１４で納期指定送信が設定されている場合（ステップｓ５０３のＹＥＳ）は、納期指定の再発呼判断処理を行う（ステップｓ５０４）。この納期指定の再発呼判断処理で、納期指定時刻に達していない場合（又は、納期指定用の再発呼回数に達していない場合）は、再発呼可能と判断し（ステップｓ５０５のＹＥＳ）、発呼動作を行う。
【００６５】
また、納期指定送信が設定されていない場合（ステップｓ５０３のＮＯ）であって、先に指定された回線がＭＡＩＬ回線であり、入力された宛先が「＃」＋「数字４桁」の場合はＦＴＰ送信と判断し（ステップｓ５０６のＹＥＳ）、さらに、前述のように予め設定されたＦＴＰ送信用の再発呼回数に達していない場合は再発呼可能と判断して（ステップｓ５０５のＹＥＳ）、発呼動作を行う。
【００６６】
また、納期指定送信が設定されていない場合（ステップｓ５０３のＮＯ）であって、先に指定された回線がＭＡＩＬ回線であり、入力された宛先が「＃」＋「数字４桁」でない場合はＦＴＰ送信ではないと判断し（ステップｓ５０６のＮＯ）、さらに、前述のように予め設定された通常の再発呼回数に達していない場合は再発呼可能と判断して（ステップｓ５０５のＹＥＳ）、発呼動作を行う。
【００６７】
なお、本実施形態に限らず、ＦＴＰ送信の再発呼判断、及び通常の再発呼判断として、第４の実施形態（図６のステップｓ４０３〜ｓ４０５）を適用してもよい。
【００６８】
「第６の実施形態」
図８に、本発明の第６の実施形態でＭＡＩＬ回線が指定された場合の送信動作を示す。なお、装置の全体構成は第１の実施形態と概ね同様であるため、図１を用いると共に同一構成には同一符号を付与して説明を省略する。
【００６９】
図８に示すように、送信終了後、その送信が異常終了の場合はパラメータメモリ８、又はＲＡＭ１４の管理エリアに「通信結果ＮＧ」を登録し、通信レポート等に出力する（ステップｓ６０１、ｓ６０２のＮＯ、ｓ６０６）。また、その送信が正常終了の場合（ステップｓ６０２のＹＥＳ）は、さらに、前述のようにＳＭＴＰ送信か否か（ＦＴＰ送信か否か）を判断する（ステップｓ６０３）。その結果、ＳＭＴＰ送信の場合（ステップｓ６０３のＹＥＳ）は「通信結果不定」を登録し（ステップｓ６０４）、それ以外の場合は「通信結果ＯＫ」を登録する（ステップｓ６０５）。
【００７０】
本実施形態では、ＳＭＴＰ送信の場合、前記ＳＭＴＰサーバへ正常に送信できたか否かをネットワークファクシミリ装置で検出することができるが、前記ＳＭＴＰサーバから相手先通信端末へ正常に送信できたか否かを検出することはできないので、その送信が正常終了であっても「通信結果不定」と記録する。これに対し、ＦＴＰ送信の場合は、前記ＦＴＰサーバに原稿（画像ファイル）が蓄積されるので、前記ＦＴＰサーバへの送信が正常終了であれば、「通信結果ＯＫ」と記録する。
【００７１】
なお、本実施形態に限らず、パラメータメモリ８（あるいは、ＲＡＭ１４）の管理エリアには、ＳＭＴＰ送信／ＦＴＰ送信に拘わらず、その送信が正常終了の場合は「通信結果ＯＫ」と登録しておき、通信レポートの印字出力時、操作表示部６での画面表示時には、宛先がＭＡＩＬ回線でＦＴＰ宛先の場合は「通信結果ＯＫ」とし、ＭＡＩＬ回線でＳＭＴＰ宛先の場合には「通信結果不定」としてもよい。
【００７２】
前記回線選択キー、内線キー、メールキーを含む操作表示部６、ＣＰＵ１２、等が回線指定手段を構成する。また、操作表示部６、ＣＰＵ１２、等が制御手段、宛先入力手段、表示手段、再発呼設定手段、納期指定手段、登録手段を構成する。
【図面の簡単な説明】
【００７３】
【図１】本発明の第１の実施形態に係るネットワークファクシミリ装置の構成図である。
【図２】本発明の第１の実施形態に係るネットワークファクシミリ装置の指定回線及び使用回線とプロトコルとの関係を示す図である。
【図３】本発明の第１の実施形態に係るネットワークファクシミリ装置でＭＡＩＬ回線（ＬＡＮ）が指定された場合の送信動作を示すフローチャートである。
【図４】本発明の第２の実施形態に係るネットワークファクシミリ装置でＭＡＩＬ回線（ＬＡＮ）が指定された場合の送信動作を示すフローチャートである。
【図５】本発明の第３の実施形態に係るネットワークファクシミリ装置でＭＡＩＬ回線（ＬＡＮ）が指定された場合の送信動作を示すフローチャートである。
【図６】本発明の第４の実施形態に係るネットワークファクシミリ装置でＭＡＩＬ回線（ＬＡＮ）が指定された場合の送信動作を示すフローチャートである。
【図７】本発明の第５の実施形態に係るネットワークファクシミリ装置でＭＡＩＬ回線（ＬＡＮ）が指定された場合の送信動作を示すフローチャートである。
【図８】本発明の第６の実施形態に係るネットワークファクシミリ装置でＭＡＩＬ回線（ＬＡＮ）が指定された場合の送信動作を示すフローチャートである。
【符号の説明】
【００７４】
６  操作表示部
１０  通信制御部
１２  ＣＰＵ
１３  ＲＯＭ
１４  ＲＡＭ
１６  モデム
１７  網制御部
１８  ネットワーク制御部（ＮＩＣＦ）
【図１】
2006271008.tif 000003
【図２】
2006271008.tif 000004
【図３】
2006271008.tif 000005
【図４】
2006271008.tif 000006
【図５】
2006271008.tif 000007
【図６】
2006271008.tif 000008
【図７】
2006271008.tif 000009
【図８】
2006271008.tif 000010
【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
所定のプロトコルに基づいてデータを送信する通信装置において、
回線情報を指定する指定手段と、
宛先情報を入力する入力手段と、
前記指定された回線情報と前記入力された宛先情報に基づいて、送信する際に用いるプロトコルを選択する制御手段と、
前記指定された回線情報がある所定の回線情報であり、かつ前記入力された宛先情報が全て数字である場合には、アラート表示する表示手段と、
を備えたことを特徴とする通信装置。
【請求項２】
所定のプロトコルに基づいてデータを送信する通信装置において、
回線情報を指定する指定手段と、
宛先情報を入力する入力手段と、
前記指定された回線情報と前記入力された宛先情報に基づいて、送信する際に用いるプロトコルを選択する制御手段と、
データを送信する際にエラーが発生した場合の再発呼回数を、前記所定のプロトコルによって任意に設定する設定手段と、
を備えたことを特徴とする通信装置。
【手続補正２】
【補正対象書類名】明細書
【補正対象項目名】全文
【補正方法】変更
【補正の内容】
【発明の詳細な説明】
【技術分野】
【０００１】
本発明は、複数の回線に接続され、所定のプロトコルで送信可能な通信装置に関し、例えば、ＬＡＮ及び公衆網に接続され、ＦＴＰ／ＳＭＴＰ送信可能な通信装置に関する。
【背景技術】
【０００２】
従来の通信装置においては、宛先情報や受信側の状態に応じて複数の回線のいずれかを選択する機能を有するものが提案されている。
【０００３】
例えば、特許文献１に記載された装置では、受信側がビジー状態の場合、現在選択されている回線を他の回線に切り換えて再発呼することにより、受信側に対して発呼していない待機時間を短縮している。
【０００４】
また、特許文献２に記載された装置では、入力されたダイヤル情報から回線選択用の情報を抽出し、予め設定した回線選択情報と比較して、一致した回線選択情報に対応する回線を選択し、前記ダイヤル情報を送出することにより、宛先情報（ダイヤル情報）に応じて複数の回線のいずれかを選択すると共に、回線選択情報（回線選択番号）の設定・変更を容易にしている。
【０００５】
また、特許文献３に記載された装置では、ワンタッチキー（あるいは短縮キー）に同一相手端末に対応する異なる回線の電話番号を登録する際、回線を選択して電話番号を入力し、電話番号登録メモリの一つのワンタッチキーに対応するメモリ領域にそれぞれ異なる回線の電話番号を登録することにより、一つのワンタッチキーに二つの回線の電話番号を登録可能とし、ワンタッチキーの実装個数を低減すると共に回線の有効利用を図っている。
【特許文献１】特開平１１−８８６３６号公報
【特許文献２】特開平１１−１１２５９６号公報
【特許文献３】特開平６−３８０１５号公報
【発明の開示】
【発明が解決しようとする課題】
【０００６】
しかしながら、特許文献１〜３に開示された技術では、ＬＡＮ回線を選択し、かつＳＭＴＰ（Simple  Mail  Transfer  Protocol：簡易メール転送プロトコル）、及びＦＴＰ（File  Transfer  Protocol：ファイル転送プロトコル）による送信が可能な場合についての配慮がなされていない。この場合、Ｇ３／Ｇ４回線にＬＡＮ回線が加わるが、ＳＭＴＰ送信、ＦＴＰ送信ともＬＡＮ回線を使用し、回線指定を共に「ＭＡＩＬ」とすると、前述の回線情報と宛先情報によってプロトコル（ＳＭＴＰ／ＦＴＰ）をも選択する必要がある。例えば、宛先が「１１１１」である場合は、Ｇ３プロトコル送信（ＩＧ３／Ｇ３）、Ｇ４プロトコル送信、ＳＭＴＰ送信、及びＦＴＰ送信の全てについて可能性があり、宛先のみでは誤発呼を防止することが困難である。
【０００７】
本発明の目的は、このような問題点を改善し、複数の回線に接続され、所定のプロトコルで送信可能であって、回線選択時の誤操作を防止することが可能な通信装置を提供することにある。
【課題を解決するための手段】
【０００８】
請求項１に係る発明は、所定のプロトコルに基づいてデータを送信する通信装置において、回線情報を指定する指定手段と、宛先情報を入力する入力手段と、前記指定された回線情報と前記入力された宛先情報に基づいて、送信する際に用いるプロトコルを選択する制御手段と、前記指定された回線情報がある所定の回線情報であり、かつ前記入力された宛先情報が全て数字である場合には、アラート表示する表示手段と、を備えたことを特徴とする。
【０００９】
宛先情報及び回線情報（指定回線）を利用することにより、適切なプロトコルを自動的に選択し、回線選択時の誤操作を防止できる。さらに、回線選択の設定をユーザが入力する際、連続して宛先を入力すると誤操作するおそれがある。特殊な宛先が入力された場合に設定の間違いがないか、ユーザに確認することによって、回線選択による誤操作を低減することができる。
【００１０】
請求項２に係る発明は、所定のプロトコルに基づいてデータを送信する通信装置において、回線情報を指定する指定手段と、宛先情報を入力する入力手段と、前記指定された回線情報と前記入力された宛先情報に基づいて、送信する際に用いるプロトコルを選択する制御手段と、データを送信する際にエラーが発生した場合の再発呼回数を、前記所定のプロトコルによって任意に設定する設定手段と、を備えたことを特徴とする。
【００１１】
宛先情報及び回線情報（指定回線）を利用することにより、適切なプロトコルを自動的に選択し、回線選択時の誤操作を防止できる。さらに、例えば、ＦＴＰ送信では、サーバが停止している場合もあるので、通常のＦＡＸ通信等における再発呼回数よりも長時間、再発呼動作をすることが望ましい。ＦＴＰ送信におけるエラー発生時の再発呼回数を、ＦＴＰ送信以外の再発呼回数とは異なる値に設定することにより、ＦＴＰ送信に適する再発呼動作を実現できる。
【発明の効果】
【００１２】
請求項１に係る発明によれば、複数の回線に接続され、複数のプロトコルで送信可能な通信装置において、入力された宛先情報及び回線情報に応じ、複数のプロトコルを切り換えて送信するので、特に、ＬＡＮ回線でＦＴＰ／ＳＭＴＰ送信を行う場合、適切なプロトコルを自動的に選択することができる。さらに、例えば、ＬＡＮ回線が指定され、かつ全て数字からなる宛先が入力された場合はアラート表示するので、ユーザの誤操作を削減することができる。
【００１３】
請求項２に係る発明によれば、複数の回線に接続され、複数のプロトコルで送信可能な通信装置において、入力された宛先情報及び回線情報に応じ、複数のプロトコルを切り換えて送信するので、特に、ＬＡＮ回線でＦＴＰ／ＳＭＴＰ送信を行う場合、適切なプロトコルを自動的に選択することができる。さらに、例えば、ＦＴＰ送信とＳＭＴＰ送信とで、送信エラーが発生した場合の再発呼回数を変更するので、ＦＴＰ送信の発呼回数をＳＭＴＰ送信の発呼回数とは別に設定することにより、サーバダウン時にエラーになる確率を低減することができる。
【００１４】
以上説明したように、本発明によれば、複数の回線に接続され、所定のプロトコルで送信可能であって、回線選択時の誤操作を防止することが可能な通信装置を提供することができる。
【発明を実施するための最良の形態】
【００１５】
以下、図面を用い、本発明の実施の一形態を説明する。
【００１６】
「第１の実施形態」
図１に、本発明の第１の実施形態に係るネットワークファクシミリ装置の構成を示す。
【００１７】
このネットワークファクシミリ装置には、ＬＡＮに接続して画情報を電子メールとして送受するための伝送機能と、公衆網（ＰＳＴＮ、ＩＳＤＮ）に接続してＧ３／Ｇ４ファクシミリ伝送手順により画情報を送受する伝送機能と、を備える。ＬＡＮに接続された通信端末との間のデータの送受には、ＴＣＰ／ＩＰと呼ばれるトランスポートレイヤまでの伝送プロトコルと、その上位レイヤの通信プロトコルとの組み合わせ（いわゆるプロトコルスイート）が適用される。例えば、電子メールデータの送信（メール送信）には、上位レイヤの通信プロトコルとして前述のＳＭＴＰが適用され、画像データを含むファイルの送信（ネットワークスキャナ機能）には、前述のＦＴＰが適用される。
【００１８】
図１において、原稿センサ１は、原稿載置台に原稿が載置されたことを検知すると共に、原稿ＪＡＭの有無を検知する。用紙センサ２は、プロッタ５に給紙するための用紙が収納されている給紙カセット位置を検知すると共に、用紙ＪＡＭの有無を検知する。バッテリ３は、相手先の電話番号、名称、等を記憶するためのＲＡＭ１４をバックアップする。
【００１９】
スキャナ４は、所定の解像度で原稿の画像面を読みとって画情報を取り出す。プロッタ５は、所定の解像度で画像データを記録・出力する。
【００２０】
操作表示部６は、テンキー、ワンタッチキー（あるいは、短縮キー）、後述の回線選択キー、内線キー、メールキー、その他のファンクションキーを含む各種操作キー、ＬＣＤ等の表示器からなり、装置の状態や、操作ガイダンスを表示すると共に、装置の操作や各種モード設定を行うために用いられる。
【００２１】
画像メモリ７は、符号化圧縮された状態の画情報（画像データ）を蓄積するために用いられる。パラメータメモリ８は、ネットワークファクシミリ装置に固有の各種情報（電話番号等のパラメータ）を蓄積する。時計回路９は、現在時刻情報を出力する。
【００２２】
通信制御部１０は、網制御部１７とモデム１６を制御して所定の伝送制御手順により、ファクシミリ通信を行う。符号化復号化部１１は、画像信号を符号化圧縮すると共に、符号化圧縮されている画情報を元の画像信号に復号化する。
【００２３】
ＣＰＵ１２は、各部を制御してネットワークファクシミリ装置の所定の動作を実行する。ＲＯＭ１３は、ネットワークファクシミリ装置の動作に必要な制御プログラムが格納されている。ＲＡＭ１４は、ＣＰＵ１２が制御プログラムを実行する際に必要な各種データを記憶すると共に、ワークエリアとして使用される。キャラクタジェネレータ１５は、英、数、カナ、記号、漢字、等の各文字フォントデータを記憶している。
【００２４】
また、ＲＡＭ１４には、ファクシミリ伝送手順によって受信するサブアドレス情報と、そのサブアドレス情報に対応したネットワークアドレスとを関連付けて記憶したアドレス変換テーブルが更新可能に記憶されている。また、ＲＡＭ１４には、回線選択キー、内線キー、メールキーによって選択・指定された回線情報、及び、テンキー、ワンタッチキー等によって入力された宛先情報の内容が更新可能に記憶されている。また、ＲＡＭ１４には、後述の空き回線指定機能についての設定内容が更新可能に記憶されている。
【００２５】
モデム１６は、伝送手順信号を送受するための低速モデム機能（Ｖ．２１モデム）、及び主に画情報を送受するための高速モデム機能（Ｖ．１７モデム、Ｖ．３４モデム、Ｖ．２９モデム、Ｖ．２７モデム、等）を備え、画情報を変復調して伝送すると共に、伝送制御手順における各種手順信号を伝送する。
【００２６】
網制御部１７は、回線（ＰＳＴＮ／ＩＳＤＮ）の捕捉、発信先電話番号である選択信号の送出、着信の検出等により、所定の発呼動作および着信動作を行うものであり、自動発着信機能を有する。ネットワーク制御部１８は、ＬＡＮ回線からの送受信を制御するものであって、ネットワークファクシミリ装置をＬＡＮに接続し、他の通信端末との間で種々のデータを送受するために所定のプロトコルスイートの通信制御を行う。
【００２７】
前述のスキャナ４、プロッタ５、操作表示部６、画像メモリ７、パラメータメモリ８、時計回路９、通信制御部１０、符号化復号化部１１、ＣＰＵ１２、ＲＯＭ１３、ＲＡＭ１４、キャラクタジェネレータ１５、ネットワーク制御部１８は、システムバス１９に接続され、各部の間のデータ送受は主としてシステムバス１９を介して行われる。また、網制御部１７とモデム１６の間のデータ送受は直接行われる。
【００２８】
さて、本実施形態のネットワークファクシミリ装置は、図２に示すように、ＰＳＴＮ回線（本体／オプション）、ＩＳＤＮ回線（オプション）、ＬＡＮ回線の一部又は全てに接続可能に構成され、これらの回線を介し、Ｇ３プロトコル／Ｇ４プロトコル／ＳＭＴＰ／ＦＴＰで送信可能に構成されている。また、これらの回線を内線として使用可能に構成されている。また、操作表示部６には、網制御部１７、ネットワーク制御部１８に接続される回線（Ｇ３／Ｇ４）を選択・指定するための「回線選択キー」、内線を選択・指定するための「内線キー」、メール宛先設定時にＭＡＩＬ回線（ＬＡＮ回線）を選択・指定するための「メールキー」、を備える。この内線キー、メールキーは、例えば、予め操作表示部６に設けられたユーザファンクションキーを利用して設定することができる。さらに、操作表示部６の操作により、所定の優先順位に従って自動的に空き回線を検出し、その回線を使用して送信を開始する空き回線指定機能を設定するように構成されている。前記空き回線を使用する際の優先度は、予め設けられた複数種類の優先度から、操作表示部６で任意に選択・設定できるものとする。
【００２９】
例えば、前記回線選択キーによって、「Ｇ３−１」が選択された場合は本体ＰＳＴＮ回線が指定され、「Ｇ３−２」が選択された場合はオプションＰＳＴＮ回線が指定され、「ＩＧ３」が選択された場合はオプションＩＳＤＮ回線が指定され、「Ｇ４」が選択された場合はオプションＩＳＤＮ回線が指定されるように、回線選択と実際の使用回線を対応させる。また、前記内線キーによって、「内線」が選択された場合は２回線ＮＣＵ装着時の内線回線が指定され、「Ｇ３−１（内線）」が選択された場合は内線用の本体ＰＳＴＮ回線が指定され、「Ｇ３−２（内線）」が選択された場合は内線用のオプションＰＳＴＮ回線が指定され、「ＩＧ３（内線）」が選択された場合は内線用のオプションＩＳＤＮ回線が指定されるように、回線選択と実際の使用回線を対応させる。また、前記メールキーによって、「ＭＡＩＬ」が選択された場合はＮＩＣＦ、ＩＤＵ、ＰＤＵのいずれかのボードから発呼される。
【００３０】
また、操作表示部６で空き回線指定機能が設定された場合は、前記回線選択キー、内線キー、メールキーによる指定内容と、予め設定された回線使用の優先度とに応じ、送信動作を行うように制御する。例えば、前記「Ｇ３−１」、「Ｇ３−２」、「ＩＧ３」のいずれかが指定されると共に、空き回線指定機能が設定された場合は、第１の優先度設定「オプションＩＳＤＮ＞オプションＰＳＴＮ＞本体ＰＳＴＮ」、又は第２の優先度設定「オプションＰＳＴＮ＞本体ＰＳＴＮ＞オプションＩＳＤＮ」に従って送信を開始する。また、前記「内線」が指定されると共に、空き回線指定機能が設定された場合は、第１の優先度設定「ＰＢＸ＞オプションＩＳＤＮ＞オプションＰＳＴＮ＞本体ＰＳＴＮ」、又は第２の優先度設定「ＰＢＸ＞オプションＰＳＴＮ＞本体ＰＳＴＮ＞オプションＩＳＤＮ」に従って送信を開始する。前述の第１、第２の優先度のいずれを用いるかは、予め操作表示部６から選択・設定可能とする。
【００３１】
ここで、Ｇ４回線（オプションＩＳＤＮ回線）が指定された場合はＧ４プロトコルで送信され、それ以外のＧ３回線（本体ＰＳＴＮ回線等）、内線が指定された場合には、Ｇ３プロトコルで送信される。また、ＭＡＩＬ回線（ＮＩＣＦ）が指定された場合は、宛先ファイルの内容に応じ、ＳＭＴＰ又はＦＴＰで送信される。具体的には、ＭＡＩＬ回線指定時に操作表示部６から入力された宛先が、「＃＋アドレス（０〜９の数字で１〜４桁まで）＋Ｓ＋サブアドレス（０〜９、＃、＊、スペースで２０桁まで）」で構成される場合は、ＦＴＰアドレスと判断する。なお、「ＤＳ機能なし」が設定されている場合には、前述の判断条件を満たしていてもＳＭＴＰで送信する。ＤＳ機能の有無は、予め内部スイッチ（ビットスイッチ等）で選択・設定されている。
【００３２】
次に、図３を参照しながら本実施形態の送信動作を説明する。
【００３３】
操作表示部６で前記回線選択キー、内線キー、メールキー、ワンタッチキー、等により送信動作が指定されると、入力された宛先を読み出す（ステップｓ１０１）。
【００３４】
ここで、ＭＡＩＬ回線が指定され、かつ、宛先が特定のパターン（例えば、「＃」の後に４桁の数字で示されたアドレスが続くもの）を有する場合は、ＦＴＰ送信と判断してＬＡＮ上のＦＴＰサーバ（図示せず）へ蓄積原稿を送信する（ステップｓ１０２のＹＥＳ、ｓ１０３）。ＦＴＰ送信の場合は、前記ＦＴＰサーバのディレクトリに送信されるので、宛先に含まれた「＃」の後の数字により前記ＦＴＰサーバ側で蓄積原稿（画像ファイル）を管理することができる。あるいは、別フォルダとして管理し、他の宛先へ転送することができる。
【００３５】
一方、ＭＡＩＬ回線が指定され、かつ、宛先が前記特定のパターンと異なる場合には、メールの宛先であると判断してＬＡＮ上のＳＭＴＰサーバ（図示せず）へＳＭＴＰで送信する（ステップｓ１０２のＮＯ、ｓ１０４）。ＳＭＴＰ送信の場合は、Ｅ−ＭＡＩＬとして相手先通信端末に届くことになる。
【００３６】
「第２の実施形態」
図４に、本発明の第２の実施形態でＭＡＩＬ回線が指定された場合の送信動作を示す。なお、装置の全体構成は第１の実施形態と概ね同様であるため、図１を用いると共に同一構成には同一符号を付与して説明を省略する。
【００３７】
操作表示部６で前記回線選択キー、内線キー、メールキー、ワンタッチキー、等により送信動作が指定されると、キー操作で入力された宛先をＲＡＭ１４に登録する（ステップｓ２０１）。
【００３８】
ここで、ＭＡＩＬ回線を指定され、かつ、入力された宛先が全て数字の場合はアラート表示を行い、回線指定又は宛先入力が間違っていないか否か、ユーザに確認する（ステップｓ２０２のＹＥＳ、ｓ２０３）。さらに、修正がある場合（ステップｓ２０４のＹＥＳ）はステップｓ２０１に戻り、修正がない場合（ステップｓ２０４のＮＯ）には前述のようにＳＭＴＰ又はＦＴＰで送信する。
【００３９】
なお、ステップｓ２０２の判断は、回線指定及び宛先入力が完了し、操作表示部６のスタートキーが押下された時点ではなく、回線指定後の宛先入力中に行ってもよい。
【００４０】
また、本実施形態に限らず、Ｇ３回線又はＧ４回線が指定され、かつ、入力された宛先が全て数字の場合についても、アラート表示するようにしてもよい。これは、Ｇ３回線又はＧ４回線が指定され、かつ、宛先として「＃」＋「数字４桁」が入力された場合、ＦＴＰ送信の間違いであることも考えられるためである。
【００４１】
「第３の実施形態」
図５に、本発明の第３の実施形態でＭＡＩＬ回線が指定された場合の送信動作を示す。なお、装置の全体構成は第１の実施形態と概ね同様であるため、図１を用いると共に同一構成には同一符号を付与して説明を省略する。
【００４２】
本実施形態では、送信エラーが発生した場合の再発呼回数を設定する際、ＦＴＰ送信用の再発呼回数と、ＦＴＰ送信以外の通常再発呼回数と、を異なる値で設定する。これらの再発呼回数は、予めプログラム上で決められた値であってもよいし、あるいは、操作表示部６のファンクションキーの操作で任意に設定し、ＲＡＭ１４上に書き換え可能に記憶するように構成してもよい。
【００４３】
図５に示すように、送信終了時にその通信がエラーの場合（ステップｓ３０１、ｓ３０２のＹＥＳ）、再発呼動作を行う。この再発呼時、先に指定された回線がＭＡＩＬ回線であって、入力された宛先が「＃」＋「数字４桁」の場合は、ＦＴＰ送信と判断してＦＴＰ送信用の再発呼回数を使用する（ステップｓ３０３のＹＥＳ、ｓ３０４）。また、先に指定された回線がＭＡＩＬ回線であって、入力された宛先が「＃」＋「数字４桁」でない場合は、通常の再発呼回数を使用する（ステップｓ３０３のＮＯ、ｓ３０６）。
【００４４】
さらに、こうして読み出された再発呼回数と実際に発呼した回数（宛先毎に管理されている。）を比べ、再発呼可能な場合（ステップｓ３０５のＹＥＳ）は再び発呼動作に移行し、再発呼した回数が前記読み出された再発呼回数に達した場合（ステップｓ３０５のＮＯ）は処理を終了する。
【００４５】
「第４の実施形態」
図６に、本発明の第４の実施形態でＭＡＩＬ回線が指定された場合の送信動作を示す。なお、装置の全体構成は第１の実施形態と概ね同様であるため、図１を用いると共に同一構成には同一符号を付与して説明を省略する。
【００４６】
本実施形態では、送信エラーが発生した場合の再発呼回数を設定する際、ＦＴＰ送信以外の通常再発呼回数のみを設定し、ＦＴＰ送信については無制限に再発呼可能とする。前記再発呼回数は、予めプログラム上で決められた値であってもよいし、あるいは、操作表示部６のファンクションキーの操作で任意に設定し、ＲＡＭ１４上に書き換え可能に記憶するように構成してもよい。
【００４７】
図６に示すように、送信終了時にその通信がエラーの場合（ステップｓ４０１、ｓ４０２のＹＥＳ）、再発呼動作を行う。この再発呼時、先に指定された回線がＭＡＩＬ回線であって、入力された宛先が「＃」＋「数字４桁」の場合（ステップｓ４０３のＹＥＳ）は、ＦＴＰ送信と判断して再発呼動作を繰り返す。また、先に指定された回線がＭＡＩＬ回線であって、先に入力された宛先が「＃」＋「数字４桁」でない場合は、通常の再発呼回数を使用する（ステップｓ４０３のＮＯ、ｓ４０４）。
【００４８】
さらに、こうして読み出された再発呼回数と実際に発呼した回数（宛先毎に管理されている。）を比べ、再発呼可能な場合（ステップｓ４０５のＹＥＳ）は再び発呼動作に移行し、再発呼した回数が前記読み出された再発呼回数に達した場合（ステップｓ４０５のＮＯ）は処理を終了する。
【００４９】
「第５の実施形態」
図７に、本発明の第５の実施形態でＭＡＩＬ回線が指定された場合の送信動作を示す。なお、装置の全体構成は第１の実施形態と概ね同様であるため、図１を用いると共に同一構成には同一符号を付与して説明を省略する。
【００５０】
本実施形態では、前述のように送信エラーが発生した場合の再発呼回数を２種類（ＦＴＰ送信用／ＦＴＰ送信以外の通常送信用）、設定する。また、ＭＡＩＬ回線が指定された場合の納期を予め指定し、その指定納期に送信する納期指定モードを操作表示部６で設定可能とする。例えば、納期指定モードで送信動作に先立ち、ユーザが操作表示部６から納期指定時刻（何時何分）を設定・入力し、入力された納期情報をＲＡＭ１４の所定エリアに更新可能に記憶する。
【００５１】
図７に示すように、送信終了時にその通信がエラーの場合（ステップｓ５０１、ｓ５０２のＹＥＳ）、再発呼動作を行う。この再発呼時、予めＲＡＭ１４で納期指定送信が設定されている場合（ステップｓ５０３のＹＥＳ）は、納期指定の再発呼判断処理を行う（ステップｓ５０４）。この納期指定の再発呼判断処理で、納期指定時刻に達していない場合（又は、納期指定用の再発呼回数に達していない場合）は、再発呼可能と判断し（ステップｓ５０５のＹＥＳ）、発呼動作を行う。
【００５２】
また、納期指定送信が設定されていない場合（ステップｓ５０３のＮＯ）であって、先に指定された回線がＭＡＩＬ回線であり、入力された宛先が「＃」＋「数字４桁」の場合はＦＴＰ送信と判断し（ステップｓ５０６のＹＥＳ）、さらに、前述のように予め設定されたＦＴＰ送信用の再発呼回数に達していない場合は再発呼可能と判断して（ステップｓ５０５のＹＥＳ）、発呼動作を行う。
【００５３】
また、納期指定送信が設定されていない場合（ステップｓ５０３のＮＯ）であって、先に指定された回線がＭＡＩＬ回線であり、入力された宛先が「＃」＋「数字４桁」でない場合はＦＴＰ送信ではないと判断し（ステップｓ５０６のＮＯ）、さらに、前述のように予め設定された通常の再発呼回数に達していない場合は再発呼可能と判断して（ステップｓ５０５のＹＥＳ）、発呼動作を行う。
【００５４】
なお、本実施形態に限らず、ＦＴＰ送信の再発呼判断、及び通常の再発呼判断として、第４の実施形態（図６のステップｓ４０３〜ｓ４０５）を適用してもよい。
【００５５】
「第６の実施形態」
図８に、本発明の第６の実施形態でＭＡＩＬ回線が指定された場合の送信動作を示す。なお、装置の全体構成は第１の実施形態と概ね同様であるため、図１を用いると共に同一構成には同一符号を付与して説明を省略する。
【００５６】
図８に示すように、送信終了後、その送信が異常終了の場合はパラメータメモリ８、又はＲＡＭ１４の管理エリアに「通信結果ＮＧ」を登録し、通信レポート等に出力する（ステップｓ６０１、ｓ６０２のＮＯ、ｓ６０６）。また、その送信が正常終了の場合（ステップｓ６０２のＹＥＳ）は、さらに、前述のようにＳＭＴＰ送信か否か（ＦＴＰ送信か否か）を判断する（ステップｓ６０３）。その結果、ＳＭＴＰ送信の場合（ステップｓ６０３のＹＥＳ）は「通信結果不定」を登録し（ステップｓ６０４）、それ以外の場合は「通信結果ＯＫ」を登録する（ステップｓ６０５）。
【００５７】
本実施形態では、ＳＭＴＰ送信の場合、前記ＳＭＴＰサーバへ正常に送信できたか否かをネットワークファクシミリ装置で検出することができるが、前記ＳＭＴＰサーバから相手先通信端末へ正常に送信できたか否かを検出することはできないので、その送信が正常終了であっても「通信結果不定」と記録する。これに対し、ＦＴＰ送信の場合は、前記ＦＴＰサーバに原稿（画像ファイル）が蓄積されるので、前記ＦＴＰサーバへの送信が正常終了であれば、「通信結果ＯＫ」と記録する。
【００５８】
なお、本実施形態に限らず、パラメータメモリ８（あるいは、ＲＡＭ１４）の管理エリアには、ＳＭＴＰ送信／ＦＴＰ送信に拘わらず、その送信が正常終了の場合は「通信結果ＯＫ」と登録しておき、通信レポートの印字出力時、操作表示部６での画面表示時には、宛先がＭＡＩＬ回線でＦＴＰ宛先の場合は「通信結果ＯＫ」とし、ＭＡＩＬ回線でＳＭＴＰ宛先の場合には「通信結果不定」としてもよい。
【００５９】
前記回線選択キー、内線キー、メールキーを含む操作表示部６、ＣＰＵ１２、等が指定手段を構成する。また、操作表示部６、ＣＰＵ１２、等が制御手段、入力手段、表示手段、設定手段を構成する。
【図面の簡単な説明】
【００６０】
【図１】本発明の第１の実施形態に係るネットワークファクシミリ装置の構成図である。
【図２】本発明の第１の実施形態に係るネットワークファクシミリ装置の指定回線及び使用回線とプロトコルとの関係を示す図である。
【図３】本発明の第１の実施形態に係るネットワークファクシミリ装置でＭＡＩＬ回線（ＬＡＮ）が指定された場合の送信動作を示すフローチャートである。
【図４】本発明の第２の実施形態に係るネットワークファクシミリ装置でＭＡＩＬ回線（ＬＡＮ）が指定された場合の送信動作を示すフローチャートである。
【図５】本発明の第３の実施形態に係るネットワークファクシミリ装置でＭＡＩＬ回線（ＬＡＮ）が指定された場合の送信動作を示すフローチャートである。
【図６】本発明の第４の実施形態に係るネットワークファクシミリ装置でＭＡＩＬ回線（ＬＡＮ）が指定された場合の送信動作を示すフローチャートである。
【図７】本発明の第５の実施形態に係るネットワークファクシミリ装置でＭＡＩＬ回線（ＬＡＮ）が指定された場合の送信動作を示すフローチャートである。
【図８】本発明の第６の実施形態に係るネットワークファクシミリ装置でＭＡＩＬ回線（ＬＡＮ）が指定された場合の送信動作を示すフローチャートである。
【符号の説明】
【００６１】
６  操作表示部
１０  通信制御部
１２  ＣＰＵ
１３  ＲＯＭ
１４  ＲＡＭ
１６  モデム
１７  網制御部
１８  ネットワーク制御部（ＮＩＣＦ）